(57)【要約】【課題】人的労力を大幅に削減し、書籍を保管する正確な場所まで特定でき、比較的低コストで実現することが可能な書籍管理システムを提供する。【解決手段】書棚１００に書籍を識別するためのバーコードを読み取るバーコード検出部１０１ｃを備えて、これを上下・左右に移動させてバーコードを読み取った位置を検出し、バーコードの情報と位置情報を書籍管理装置２００に送信する。そして各書棚１００に収納される書籍の情報を書籍管理装置２００で管理し、オペレータからの要求に応じて書籍が収められる書棚１００の識別情報を示すようにしたものである。【選択図】      図１
2005096956.tif 000002
【特許請求の範囲】
【請求項１】
書棚に収納される書籍から、書籍毎に固有に割り当てられた識別情報を取得する識別情報取得手段と、
この識別情報取得手段が識別情報を取得した書籍の書棚上の位置を位置情報として検出する位置検出手段と、
前記識別情報取得手段が取得した識別情報と、前記位置検出手段が検出した位置情報とを対応づけて記憶する記憶手段と、
オペレータの要求を受け付ける受付手段と、
前記記憶手段が記憶する情報から、前記受付手段が受け付けた要求に対応する書籍の位置情報を検出する位置情報検出手段と、
この位置情報検出手段が検出した位置情報を表示する表示手段とを特徴とする書籍管理システム。
【請求項２】
さらに、前記識別情報取得手段を移動させる移動手段を備え、
前記位置検出手段は、前記識別情報取得手段の位置から、前記識別情報取得手段が識別情報を取得した書籍の書棚上の位置を検出することを特徴とする請求項１に記載の書籍管理システム。
【請求項３】
前記表示手段は、書棚を模した表示を行い、その表示上に、前記位置情報検出手段が検出した位置情報に対応する位置を示すことを特徴とする請求項１または請求項２に記載の書籍管理システム。
【請求項４】
さらに、書籍の識別情報と書籍の色情報とを対応づけて記憶する色情報記憶手段と、
この色情報記憶手段が記憶する情報から、前記受付手段が受け付けた要求に対応する書籍の色情報を検出する色情報検出手段とを備え、
前記表示手段は、本棚を模した表示を行い、その表示上において前記位置情報検出手段が検出した位置情報に対応する位置を、前記色情報検出手段が検出した色情報の色で示すことを特徴とする請求項１または請求項２に記載の書籍管理システム。
【請求項５】
さらに、書籍の識別情報と、少なくとも書籍の名称とを対応づけて記憶する書籍情報記憶手段と、
この書籍情報記憶手段が記憶する情報から、前記受付手段が受け付けた要求に対応する書籍の情報を検出する書籍情報検出手段とを備え、
前記表示手段は、前記書籍情報検出手段が検出した情報を表示することを特徴とする請求項１乃至請求項４のいずれかに記載の書籍管理システム。
【発明の詳細な説明】
【技術分野】
【０００１】
この発明は、例えば書庫や図書館などにおける大量の書籍を管理するために用いられる書籍管理システムに関する。
【背景技術】
【０００２】
周知のように、従来、大量に保管された書籍について、その持ち出し、返却管理、全貯蔵書籍の確認等の書籍管理は、人手に頼るところが多く、管理者が実際に目視確認してパソコン等により手入力にて貯蔵書籍のデータ作成・管理を行っていた（例えば、特許文献１，２参照）。
【０００３】
このような方法では、定期的な棚卸作業等で貯蔵書の総確認を行う場合、膨大な人手が必要となる。また書籍を格納する際や持ち出して再格納する際に定められた正しい場所に格納、返却されなかったものも含まれるため、その書籍を探すために大きな手間を要することが生じる。また、管理データの作成も人手によるため入力ミス等による余分な手間を生じる可能性も免れない等の問題があった。
【０００４】
これらの問題を解決するために従来は、各書籍にその書籍固有の情報を記録した無線通信タグ等を付与して限定エリア内の書籍とそれに対応した管理用通信装置との間で無線通信により各書籍の存在を認識させることにより管理するような方法が考えられていた（例えば、特許文献３，４参照）。
【０００５】
しかしながらこのような無線タグを利用する方法では、書籍の保管場所の検索は一定の範囲で特定することができるが、詳細な位置まで特定することはできないという問題があった。また、無線タグのような通信機を各書籍に付与するので書籍の貯蔵数が多いとコストも大きくなる等の問題がある。
【特許文献１】特開２０００−２５９７１７公報
【特許文献２】特開平１１−３３４８２０公報
【特許文献３】特開２０００−３３５７１２公報
【特許文献４】特開平０６−０８３８４２公報。
【発明の開示】
【発明が解決しようとする課題】
【０００６】
従来の書籍管理システムでは、人手による方法では、膨大な人的労力が必要とされ、正確さも不十分であるという問題があった。また無線タグを利用する方法であっても、書籍を保管する正確な場所までは特定できず、コストも大きいという問題があった。  
この発明は上記の問題を解決すべくなされたもので、人的労力を大幅に削減し、書籍を保管する正確な場所まで特定でき、比較的低コストで実現することが可能な書籍管理システムを提供することを目的とする。
【課題を解決するための手段】
【０００７】
上記の目的を達成するために、この発明は、書棚に収納される書籍から、書籍毎に固有に割り当てられた識別情報を取得する識別情報取得手段と、この識別情報取得手段が識別情報を取得した書籍の書棚上の位置を位置情報として検出する位置検出手段と、識別情報取得手段が取得した識別情報と、位置検出手段が検出した位置情報とを対応づけて記憶する記憶手段と、オペレータの要求を受け付ける受付手段と、記憶手段が記憶する情報から、受付手段が受け付けた要求に対応する書籍の位置情報を検出する位置情報検出手段と、この位置情報検出手段が検出した位置情報を表示する表示手段とを具備して構成するようにした。
【発明の効果】
【０００８】
この発明では、書籍の識別情報と書籍の書棚上の位置情報とを検出して記憶しておき、この記憶した情報に基づいてオペレータからの要求に応じた書籍の位置情報を表示するようにしている。  
したがって、この発明によれば、人的労力を大幅に削減し、書籍を保管する正確な場所まで特定でき、比較的低コストで実現することが可能な書籍管理システムを提供できる。
【発明を実施するための最良の形態】
【０００９】
以下、図面を参照して、この発明の一実施形態について説明する。  
図１は、この発明の一実施形態に係わる書籍管理システムの外観を示すものである。この図に示すように、当該書籍管理システムは、書籍監視装置１０１〜１０ｎと、書籍管理装置２００とからなる。
【００１０】
書籍監視装置１０１〜１０ｎは、それぞれ書棚１００に対応づけられており、書棚に収められた書籍を監視するものである。書籍監視装置１０１〜１０ｎは互いに同じ構成からなることより、以下では書籍監視装置１０１を例に挙げて説明する。
【００１１】
書籍監視装置１０１は、支持架１０１ａと、支持レール１０１ｂと、バーコード検出部１０１ｃと、装置本体１０１ｄとを備える。  
支持架１０１ａは、長方形の枠をなして、対応する書棚１００の前面に取り付けられており、その内側には垂直枠間を渡すように設けられる支持レール１０１ｂを垂直枠で保持し、支持レール１０１ｂを垂直方向に移動させる垂直駆動機構として垂直移動部１５０（図示しない）を垂直枠に備える。
【００１２】
支持レール１０１ｂは、上述のように支持架１０１ａの垂直枠間を渡すように設けられ、バーコード検出部１０１ｃが載置されている。そして、支持レール１０１ｂは、バーコード検出部１０１ｃを水平方向に移動させる水平駆動機構として水平移動部１７０（図示しない）を備える。
【００１３】
バーコード検出部１０１ｃは、書棚１００に収納される書籍の背表紙に貼り付けられたバーコードを読み取るものであって、読み取ったバーコード情報を装置本体１０１ｄに伝送する。なお、バーコード情報は、書籍毎に固有に割り当てられるものである。
【００１４】
装置本体１０１ｄは、当該書籍監視装置１０１の各部を統括して制御するものであって、書棚１００の上などに載置される。  
その他、書籍監視装置１０１は、バーコード情報を読み取った書籍の位置情報を検出する手段として、垂直座標検出部１６０と水平座標検出部１８０（共に図示しない）を備える。
【００１５】
次に、図２を参照して、装置本体１０１ｄの構成について詳述する。図２は、装置本体１０１ｄの構成と、装置本体１０１ｄに接続される書籍監視装置１０１内の機能ブロックを示すものである。
【００１６】
装置本体１０１ｄは、当該書籍監視装置１０１の各部を統括して制御する制御部１１０と、制御部１１０の制御により種々のデータを記録する記憶部１２０と、オペレータからの要求を受け付ける入力部１３０と、制御部１１０の制御により書籍管理装置２００と無線通信する通信部１４０とを備える。
【００１７】
また制御部１１０は、支持架１０１ａ内に設けられる垂直移動部１５０のモータを駆動制御して、支持レール１０１ｂ（バーコード検出部１０１ｃ）を垂直方向に上下移動させる制御機能や、支持レール１０１ｂ内に設けられる水平移動部１７０のモータを駆動制御して、バーコード検出部１０１ｃを水平方向に左右移動させる制御機能を備える。
【００１８】
そして制御部１１０は、位置情報（垂直座標検出部１６０が検出した垂直座標の情報と、水平座標検出部１８０が検出した水平座標の情報）と、バーコード検出部１０１ｃが検出したバーコード情報と、当該装置本体１０１ｄが設けられた書棚１００に固有に設定された本棚識別情報と対応づけて書籍管理データとして記憶部１２０に記録し、後述する書籍管理装置２００からの要求に応じて、上記書籍管理データを読み出して通信部１４０を通じ書籍管理装置２００に送信する。
【００１９】
なお、本棚識別情報は、予め管理者によって入力部１３０を通じて入力され、記憶部１２０に記録される。また、垂直座標検出部１６０は支持架１０１ａ内に設けられ、支持レール１０１ｂ（バーコード検出部１０１ｃ）の垂直座標を検出するものである。一方、水平座標検出部１８０は支持レール１０１ｂ内に設けられ、バーコード検出部１０１ｃの水平座標を検出するものである。
【００２０】
書籍管理装置２００は、パーソナルコンピュータなどを用いたもので、書棚１００に収納される書籍を管理するものであって、図３に示すように、制御部２１０と、記憶部２２０と、入力部２３０と、表示部２４０と、通信部２５０とを備える。
【００２１】
制御部２１０は、ＣＰＵ（Central Processing Unit）やＲＡＭ、ＲＯＭなどの半導体メモリからなり、当該書籍管理装置２００の各部を制御する。  
記憶部２２０は、ハードディスクや光メディアを用いた記憶装置であって、個々に記録される情報は制御部２１０によって読み書きされる。そして、記憶部２２０には、当該書籍管理システムで扱う蔵書の書籍名、著者名、発行日、発行者名、背表紙の色情報が上述のバーコード情報に対応づけられて書籍プロフィールデータとして予め記憶される。
【００２２】
入力部２３０は、キーボードやマウスなどの入力装置であって、オペレータからの要求を受け付けるものである。  
表示部２４０は、液晶ディスプレイやＣＲＴ（cathode ray tube）などの表示装置である。  
通信部２５０は、無線ＬＡＮなどの通信規格を用いた無線通信装置であって、書籍監視装置１０１〜１０ｎの通信部１４０と無線通信を行う。
【００２３】
次に、上記構成の書籍管理システムの動作について説明する。  
はじめに、図４を参照して書籍監視装置１０１〜１０ｎにおける動作を説明する。図４はその動作を説明するためのフローチャートであって、制御部１１０によってなされ。この動作は電源が投入されると、電源が切られるまで繰り返し実行される。
【００２４】
まずステップ４ａにおいて制御部１１０は、入力部１３０を通じたオペレータからのスキャン要求、および通信部１４０を通じた書籍管理装置２００からのスキャン要求を監視し、いずれかのスキャン要求が生じたか否かを判定する。ここで、いずれかのスキャン要求が生じたと判定した場合にはステップ４ｃに移行し、一方、いずれもスキャン要求が生じないと判定した場合にはステップ４ｂに移行する。
【００２５】
ステップ４ｂにおいて制御部１１０は、制御部１１０が別途計時している時刻情報を監視し、予め設定されたスキャン時刻が到来したか否かを判定する。ここで、スキャン時刻が到来したと判定した場合にはステップ４ｃに移行し、一方、スキャン時刻が到来していないと判定した場合にはステップ４ｇに移行する。
【００２６】
ステップ４ｃにおいて制御部１１０は、垂直移動部１５０および水平移動部１７０の各モータを駆動制御して、バーコード検出部１０１ｃを移動させ、書棚１００に収納される書籍に対してバーコード検出部１０１ｃによるバーコード情報の読み取りスキャンを開始し、各棚を順に書籍１冊ずつ読み取り、ステップ４ｄに移行する。
【００２７】
ステップ４ｄにおいて制御部１１０は、バーコード検出部１０１ｃが読み取ったバーコード情報を取得する。そして、このバーコード情報を取得した書籍の位置情報を取得するために、垂直座標検出部１６０から垂直座標の情報を取得するとともに、水平座標検出部１８０から水平座標の情報を取得し、ステップ４ｅに移行する。
【００２８】
ステップ４ｅにおいて制御部１１０は、ステップ４ｄで取得したバーコード情報と、位置情報に、本棚識別情報を対応づけて書籍管理データとして記憶部１２０に更新記録し、ステップ４ｆに移行する。なおここで、位置情報から書棚の何段目に収納されるのかを判断し、この判断結果も位置情報として付加する。
【００２９】
ステップ４ｆにおいて制御部１１０は、書棚１００全体のスキャンを終了したか否かを判定する。ここで、書棚１００全体のスキャンが終了した場合には、ステップ４ｇに移行し、一方、書棚１００全体のスキャンが終了していない場合には、ステップ４ｃに移行してスキャンを継続する。
【００３０】
ステップ４ｇにおいて制御部１１０は、入力部１３０を通じたオペレータからのデータ要求、および通信部１４０を通じた書籍管理装置２００からのデータ要求を監視し、いずれかのデータ要求が生じたか否かを判定する。ここで、いずれかのデータ要求が生じたと判定した場合にはステップ４ｉに移行し、一方、いずれもデータ要求が生じないと判定した場合にはステップ４ｈに移行する。
【００３１】
ステップ４ｈにおいて制御部１１０は、制御部１１０が別途計時している時刻情報を監視し、予め設定されたデータ送信時刻が到来したか否かを判定する。ここで、データ送信時刻が到来したと判定した場合にはステップ４ｉに移行し、一方、データ送信時刻が到来していないと判定した場合にはステップ４ａに移行する。
【００３２】
ステップ４ｉにおいて制御部１１０は、通信部１４０を制御して、記憶部１２０に記録される書籍管理データを読み出して書籍管理装置２００に送信し、ステップ４ａに移行する。
【００３３】
次に、図５を参照して書籍管理装置２００における動作を説明する。図５はその動作を説明するためのフローチャートであって、制御部２１０によってなされ。この動作は電源が投入されると、電源が切られるまで繰り返し実行される。
【００３４】
まずステップ５ａにおいて制御部２１０は、入力部２３０を通じたオペレータからのスキャン要求を監視し、スキャン要求が生じたか否かを判定する。ここで、スキャン要求が生じたと判定した場合にはステップ５ｂに移行し、一方、スキャン要求が生じないと判定した場合にはステップ５ｃに移行する。
【００３５】
ステップ５ｂにおいて制御部２１０は、通信部２５０を制御して、各書籍監視装置１０１〜１０ｎに対して、スキャン要求を行い、ステップ５ｃに移行する。  
ステップ５ｃにおいて制御部２１０は、入力部２３０を通じたオペレータからの書籍管理データの更新要求を監視し、更新要求が生じたか否かを判定する。ここで、更新要求が生じたと判定した場合にはステップ５ｅに移行し、一方、更新要求が生じないと判定した場合にはステップ５ｄに移行する。
【００３６】
ステップ５ｄにおいて制御部２１０は、制御部２１０が別途計時している時刻情報を監視し、予め設定された更新時刻が到来したか否かを判定する。ここで、更新時刻が到来したと判定した場合にはステップ５ｅに移行し、一方、更新時刻が到来していないと判定した場合にはステップ５ｇに移行する。
【００３７】
ステップ５ｅにおいて制御部２１０は、通信部２５０を制御して、各書籍監視装置１０１〜１０ｎに対して、書籍管理データの送信を求める要求を行う。そして、この要求に伴っ各書籍監視装置１０１〜１０ｎから送信される書籍管理データを受信して、ステップ５ｆに移行する。  
ステップ５ｆにおいて制御部２１０は、記憶部２２０に記録されている書籍管理データを、ステップ５ｅで取得した書籍管理データで更新し、ステップ５ｇに移行する。
【００３８】
ステップ５ｇにおいて制御部２１０は、入力部２３０を通じたオペレータからのデータ表示要求を監視し、この要求が生じたか否かを判定する。ここで、データ表示要求が生じたと判定した場合にはステップ５ｈに移行し、一方、データ表示要求が生じないと判定した場合にはステップ５ａに移行する。
【００３９】
ステップ５ｈにおいて制御部２１０は、入力部２３０を通じてオペレータから検索キーワードの入力を受け付け、記憶部２２０の書籍管理データおよび書籍プロフィールデータを検索し、上記キーワードを含む書籍のバーコード情報を検出し、ステップ５ｉに移行する。
【００４０】
ステップ５ｉにおいて制御部２１０は、ステップ５ｈで検出したバーコード情報に対応する書籍について、書籍管理データおよび書籍プロフィールデータに基づく情報を表示部２４０に表示する。  
すなわち、ステップ５ｈで検出したバーコード情報に対応する書籍管理データの位置情報および本棚識別情報を読み出すとともに、ステップ５ｈで検出したバーコード情報に対応する書籍プロフィールデータから、書籍名、著者名、発行日、発行者名、背表紙の色情報を読み出す。
【００４１】
そして、これらの読み出した情報に基づいて、図６に示すように、オペレータが所望する書籍の位置を示すために、書棚番号や棚の段数をテキスト表示するとともに、本棚を模したイラスト表示を行いビジュアル的に相対的な格納位置を示す表示を行う。そしてこれらの表示に合わせて、書籍名、著者名、発行日、発行者名、背表紙の色情報などをテキスト表示する。なお、上記イラスト表示では、目的の書籍の位置を上記色情報に基づく色で着色表示する。
【００４２】
以上のように、上記構成の書籍管理システムでは、各書棚１００に書籍に取り付けられたバーコードを読み取るバーコード検出部１０１ｃを備え、これを縦横に移動させてバーコードを読み取るとともに、その読み取った位置を検出して、書籍の位置を書籍管理装置２００で管理して、オペレータからの要求に応じて書籍が収められる書棚１００の位置情報を表示するようにしている。
【００４３】
したがって、上記構成の書籍管理システムによれば、各本棚に書籍を収納するだけで書籍の位置情報が容易に管理できるので、人的労力を大幅に削減し、比較的低コストで実現することができる。
【００４４】
また上記構成の書籍管理システムでは、書籍管理装置２００において書棚１００内における書籍の位置を示すのに、書棚１００を模したイラスト表示を行い、この表示上に目的の書籍が収納される位置をその書籍の色を着色して示すようにしているので、オペレータはより容易に書棚１００から目的の書籍を見つけることができる。
【００４５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４６】
その一例として例えば、上記実施の形態では、予め書籍に貼り付けたバーコードをバーコード検出部１０１ｃを上下・左右に動かして読み取ってその座標を検出するようにしたが、これに代わって例えば、書棚１００に収納される書籍に対してレーザ照射などにより書籍の識別情報と収納位置を検出するようにしてもよい。
【００４７】
また、上記実施の形態では、書籍の背表紙の色情報を予め記憶部２２０に記録しておくようにしたが、バーコード検出部１０１ｃが書籍の背表紙の色を検出し、この色情報をバーコード情報と合わせて書籍管理装置２００で管理して、上記色情報に基づいて着色表示を行うようにしてもよい。
【００４８】
また、表示部２４０における表示は、図７に示すように書籍を模したイラスト表示を行い、各棚に収納される位置に対応づけて書籍のタイトルを表示するようにしてもよい。  
その他、この発明の要旨を逸脱しない範囲で種々の変形を施しても同様に実施可能であることはいうまでもない。
【図面の簡単な説明】
【００４９】
【図１】この発明に係わる書籍管理システムの一実施形態の外観構成を示す図。
【図２】図１に示した書籍管理システムの書籍監視装置の構成を示す回路ブロック図。
【図３】図１に示した書籍管理システムの書籍管理装置の構成を示す回路ブロック図。
【図４】図２に示した書籍監視装置の動作を説明するためのフローチャート。
【図５】図３に示した書籍管理装置の動作を説明するためのフローチャート。
【図６】図３に示した書籍管理装置の表示部に表示される情報の一例を示す図。
【図７】図３に示した書籍管理装置の表示部に表示される情報の一例を示す図。
【符号の説明】
【００５０】
１００…書棚、１０１…書籍監視装置、１０１ａ…支持架、１０１ｂ…支持レール、１０１ｃ…バーコード検出部、１０１ｄ…装置本体、１１０…制御部、１２０…記憶部、１３０…入力部、１４０…通信部、１５０…垂直移動部、１６０…垂直座標検出部、１７０…水平移動部、１８０…水平座標検出部、２００…書籍管理装置、２１０…制御部、２２０…記憶部、２３０…入力部、２４０…表示部、２５０…通信部。
【図１】
2005096956.tif 000003
【図２】
2005096956.tif 000004
【図３】
2005096956.tif 000005
【図４】
2005096956.tif 000006
【図５】
2005096956.tif 000007
【図６】
2005096956.tif 000008
【図７】
2005096956.tif 000009